(57)【要約】【課題】操作性の低下を抑制することができるタッチパッド及び操作システムを提供する。【解決手段】タッチパッド１は、例えば、ステアリング７のスポーク部に露出する操作面２０に規定された上部領域２１〜右部領域２４のうち、なぞり操作が検出された始点９２の領域と終点９３の領域とに基づいて操作方向を判定するように構成され、ステアリング７のリング部７０の把持位置に応じた形状に上部領域２１〜右部領域２４を調整して操作方向を判定する制御部４を備えて概略構成されている。【選択図】図４
2019166878.tif 000002
【特許請求の範囲】
【請求項１】
ステアリングのスポーク部に露出する操作面に規定された複数の領域のうち、なぞり操作が検出された始点の領域と終点の領域とに基づいて操作方向を判定するように構成され、前記ステアリングのリング部の把持位置に応じた形状に前記複数の領域を調整して操作方向を判定する判定部を備えたタッチパッド。
【請求項２】
前記判定部は、前記ステアリングの右側に位置する前記操作面において操作が行われ、前記把持位置が基準位置より上側の場合、操作者から見て反時計回りに前記複数の領域を回転させ、前記把持位置が前記基準位置より下側の場合、操作者から見て時計回りに前記複数の領域を回転させて形状を調整し、
前記ステアリングの左側に位置する前記操作面において操作が行われ、前記把持位置が基準位置より上側の場合、操作者から見て時計回りに前記複数の領域を回転させ、前記把持位置が前記基準位置より下側の場合、操作者から見て反時計回りに前記複数の領域を回転させて形状を調整する、
請求項１に記載のタッチパッド。
【請求項３】
前記判定部は、調整前と調整後とで前記複数の領域ごとの面積が変わらないように形状を調整する、
請求項１又は２に記載のタッチパッド。
【請求項４】
ステアリングのリング部の把持位置を検出する把持位置検出部と、
前記ステアリングのスポーク部に露出する操作面になされたなぞり操作を検出する検出部、及び前記操作面に規定された複数の領域のうち、なぞり操作が検出された始点の領域と終点の領域とに基づいて操作方向を判定するように構成され、前記把持位置に応じた形状に前記複数の領域を調整して操作方向を判定する判定部を有するタッチパッドと、
を備えた操作システム。
【発明の詳細な説明】
【技術分野】
【０００１】
本発明は、タッチパッド及び操作システムに関する。
【背景技術】
【０００２】
従来の技術として、ステアリングに配置され、タッチ面が上部領域、下部領域、左部領域及び右部領域の４つの認識領域に分割された入力装置が知られている（例えば、特許文献１参照。）。
【０００３】
この入力装置は、タッチ面の上部領域から下部領域に向かう下方向スワイプ、下部領域から上部領域に向かう上方向スワイプ、左部領域から右部領域に向かう右方向スワイプ、右部領域から左部領域へ向かう左方向スワイプのいずれかを検出することができる。
【先行技術文献】
【特許文献】
【０００４】
【特許文献１】特開２０１５−３５１３６号公報
【発明の概要】
【発明が解決しようとする課題】
【０００５】
しかし従来の入力装置は、例えば、ステアリングを把持する位置によっては、操作の軌跡が意図したものとならず、下方向にスワイプを行ったつもりが上部領域から右部領域のスワイプや上部領域から左部領域のスワイプなどと誤認識され、操作性が低下する可能性がある。
【０００６】
従って本発明の目的は、操作性の低下を抑制することができるタッチパッド及び操作システムを提供することにある。
【課題を解決するための手段】
【０００７】
本発明の一態様は、ステアリングのスポーク部に露出する操作面に規定された複数の領域のうち、なぞり操作が検出された始点の領域と終点の領域とに基づいて操作方向を判定するように構成され、ステアリングのリング部の把持位置に応じた形状に複数の領域を調整して操作方向を判定する判定部を備えたタッチパッドを提供する。
【０００８】
また本発明の他の態様は、ステアリングのリング部の把持位置を検出する把持位置検出部と、ステアリングのスポーク部に露出する操作面になされたなぞり操作を検出する検出部、及び操作面に規定された複数の領域のうち、なぞり操作が検出された始点の領域と終点の領域とに基づいて操作方向を判定するように構成され、把持位置に応じた形状に複数の領域を調整して操作方向を判定する判定部を有するタッチパッドと、を備えた操作システムを提供する。
【発明の効果】
【０００９】
本発明によれば、操作性の低下を抑制することができる。
【図面の簡単な説明】
【００１０】
【図１】図１（ａ）は、実施の形態に係るタッチパッドの一例が搭載されたステアリングの概略図であり、図１（ｂ）は、タッチパッドのブロック図の一例である。
【図２】図２（ａ）は、実施の形態に係るタッチパッドに規定された領域の一例を示す概略図であり、図２（ｂ）は、タッチパッドが含まれる操作システムのブロック図の一例である。
【図３】図３（ａ）及び図３（ｂ）は、実施の形態に係るタッチパッドに対して把持位置が基準位置の際になされたなぞり操作の一例を示す概略図であり、図３（ｃ）は、操作の軌跡と領域の関係の一例を示す概略図である。
【図４】図４（ａ）は、実施の形態に係るタッチパッドに対して把持位置が基準位置より上側の際になされたなぞり操作の一例を示す概略図であり、図４（ｂ）は、複数の領域を調整しない場合の軌跡の一例を示し、図４（ｃ）は、複数の領域を調整した場合の軌跡の一例を示している。
【図５】図５（ａ）は、実施の形態に係るタッチパッドに対して把持位置が基準位置より下側の際になされたなぞり操作の一例を示す概略図であり、図５（ｂ）は、複数の領域を調整しない場合の軌跡の一例を示し、図５（ｃ）は、複数の領域を調整した場合の軌跡の一例を示している。
【図６】図６は、実施の形態に係るタッチパッドの動作の一例を示すフローチャートである。
【発明を実施するための形態】
【００１１】
（実施の形態の要約）
実施の形態に係るタッチパッドは、ステアリングのスポーク部に露出する操作面に規定された複数の領域のうち、なぞり操作が検出された始点の領域と終点の領域とに基づいて操作方向を判定するように構成され、ステアリングのリング部の把持位置に応じた形状に複数の領域を調整して操作方向を判定する判定部を備えて概略構成されている。
【００１２】
このタッチパッドは、把持位置に応じて複数の領域の形状を調整するので、複数の領域が固定されたまま判定する場合と比べて、操作者の意図した操作が判定され易く、操作性の低下を抑制することができる。
【００１３】
[実施の形態]
（タッチパッド１の概要）
図１（ａ）は、実施の形態に係るタッチパッドの一例が搭載されたステアリングの概略図であり、図１（ｂ）は、タッチパッドのブロック図の一例である。図２（ａ）は、実施の形態に係るタッチパッドに規定された領域の一例を示す概略図であり、図２（ｂ）は、タッチパッドが含まれる操作システムのブロック図の一例である。なお、以下に記載する実施の形態に係る各図において、図形間の比率は、実際の比率とは異なる場合がある。また図１（ｂ）及び図２（ｂ）では、主な信号や情報の流れを矢印で示している。
【００１４】
タッチパッド１は、例えば、図１（ａ）及び図１（ｂ）に示すように、ステアリング７のスポーク部に露出する操作面２０に規定された複数の領域のうち、なぞり操作が検出された始点の領域と終点の領域とに基づいて操作方向を判定するように構成され、ステアリング７のリング部７０の把持位置に応じた形状に複数の領域を調整して操作方向を判定する判定部としての制御部４を備えて概略構成されている。
【００１５】
本実施の形態のタッチパッド１は、一例として、図１（ａ）に示すように、ステアリング７の右側のスポーク部７２ａ、及び左側のスポーク部７２ｂに配置されている。このスポーク部７２ａ及びスポーク部７２ｂは、例えば、図１（ａ）に示すように、スポーク部７２ｃと共に、リング部７０と連結されている。以下では、主に、右側のスポーク部７２ａに配置されたタッチパッド１について説明する。
【００１６】
タッチパッド１は、例えば、図２（ａ）に示すように、中央領域２５の周囲に、複数の領域として上部領域２１、下部領域２２、左部領域２３及び右部領域２４が規定されている。この上部領域２１〜右部領域２４は、例えば、操作面２０の対向する角を結ぶ仮想的な直線２０ａ及び直線２０ｂを境界として規定されている。この直線２０ａ及び直線２０ｂは、操作面２０の中心Ｐ１を通る直線である。また中央領域２５は、操作面２０の相似形状を有しており、調整によって形状が変化しないようにされている。
【００１７】
なお複数の領域の規定方法は、これに限定されない。例えば、複数の領域は、境界が直線２０ａ及び直線２０ｂではなく、中央領域２５の辺に直交するように、つまり領域が矩形状となるように規定されても良い。
【００１８】
なお制御部４は、調整前と調整後とで複数の領域ごとの面積が変わらないように形状を調整するようにしても良い。
【００１９】
タッチパッド１は、例えば、車両に搭載された電子機器の表示部に表示されたカーソルの移動、表示されたアイコンの選択、決定、ドラッグ、ドロップなどの指示を行うことができるように構成されている。そのためタッチパッド１は、一例として、図２（ｂ）に示すように、操作システム８の一部を構成している。
【００２０】
この操作システム８は、一例として、図２（ｂ）に示すように、左右のタッチパッド１と、車両ＬＡＮ（Local Area Network）８０と、車両制御部８１と、把持位置検出部としての把持センサ８２と、表示装置８３と、を備えて概略構成されている。
【００２１】
車両ＬＡＮ８０は、一例として、ＣＡＮ（Controller Area Network）及びＬＩＮ（Local Interconnect Network）などの規格を用いた通信を可能とするものである。車両制御部８１は、例えば、ＣＰＵ（Central Processing Unit）、半導体メモリであるＲＡＭ（Random Access Memory）及びＲＯＭ（Read Only Memory）などから構成されるマイクロコンピュータであり、車両ＬＡＮ８０などを制御する。表示装置８３は、例えば、センターコンソールなどに配置され、電子機器の表示部として機能する。なお表示装置８３は、例えば、インストルメントパネルなどに配置された計器類の画像を表示する表示装置やヘッドアップディスプレイであっても良い。
【００２２】
把持センサ８２は、例えば、図１（ａ）に示すように、ステアリング７の把持位置を検出する検出電極８２ａ〜検出電極８２ｊを備えている。この検出電極８２ａ〜検出電極８２ｅは、例えば、図１（ａ）に示すように、リング部７０の右側の下から上に向かって順番に配置されている。また検出電極８２ｆ〜検出電極８２ｊは、例えば、図１（ａ）に示すように、リング部７０の左側の下から上に向かって順番に配置されている。なお検出電極の配置や数は、これに限定されない。
【００２３】
把持センサ８２は、例えば、操作者の手９と検出電極との間に生成される静電容量に基づいて把持位置を検出し、検出した把持位置の情報である把持位置情報Ｓ２を生成する。そして把持センサ８２は、例えば、生成した把持位置情報Ｓ２を、車両ＬＡＮ８０を介して左右のタッチパッド１に出力する。
【００２４】
車両制御部８１は、例えば、図２（ｂ）に示すように、車両ＬＡＮ８０を介して右側のタッチパッド１から操作情報Ｓ３を取得し、左側のタッチパッド１から操作情報Ｓ４を取得する。そして車両制御部８１は、例えば、操作情報Ｓ３及び操作情報Ｓ４の少なくとも一方に基づいて表示情報Ｓ５を生成し、車両ＬＡＮ８０を介して表示装置８３に出力する。表示装置８３は、例えば、表示情報Ｓ５に基づいて操作に応じた表示を行う。
【００２５】
（タッチパッド１の検出部２の構成）
タッチパッド１は、例えば、図１（ｂ）に示すように、ステアリング７のスポーク部７２ａ及びスポーク部７２ｂに露出する操作面２０になされたなぞり操作を検出する検出部２と、制御部４と、を備えて概略構成されている。なお左右のタッチパッド１の検出部、制御部及び操作面は、検出部２、制御部４及び操作面２０として記載する。
【００２６】
この検出部２は、例えば、操作面２０に対する指の接触に基づく静電容量の変化を検出する静電容量方式のタッチセンサとして構成されている。なお検出部２としては、例えば、なぞり操作を検出するように構成された抵抗膜方式、赤外線方式、ＳＡＷ（Surface Acoustic Wave）方式などのタッチセンサを用いることが可能である。
【００２７】
検出部２は、例えば、図２（ｂ）に示すように、周期的に操作面２０を走査して静電容量を読み出し、１周期分の静電容量の情報である検出情報Ｓ１を生成して制御部４に出力する。
【００２８】
（制御部４の構成）
図３（ａ）及び図３（ｂ）は、実施の形態に係るタッチパッドに対して把持位置が基準位置の際になされたなぞり操作の一例を示す概略図であり、図３（ｃ）は、操作の軌跡と領域の関係の一例を示す概略図である。図４（ａ）は、実施の形態に係るタッチパッドに対して把持位置が基準位置より上側の際になされたなぞり操作の一例を示す概略図であり、図４（ｂ）は、複数の領域を調整しない場合の軌跡の一例を示し、図４（ｃ）は、複数の領域を調整した場合の軌跡の一例を示している。図５（ａ）は、実施の形態に係るタッチパッドに対して把持位置が基準位置より下側の際になされたなぞり操作の一例を示す概略図であり、図５（ｂ）は、複数の領域を調整しない場合の軌跡の一例を示し、図５（ｃ）は、複数の領域を調整した場合の軌跡の一例を示している。
【００２９】
制御部４は、例えば、記憶されたプログラムに従って、取得したデータに演算、加工などを行うＣＰＵ、半導体メモリであるＲＡＭ及びＲＯＭなどから構成されるマイクロコンピュータである。このＲＯＭには、例えば、制御部４が動作するためのプログラムと、しきい値４０と、が格納されている。ＲＡＭは、例えば、一時的に演算結果などを格納する記憶領域として用いられる。
【００３０】
制御部４は、なぞり操作の操作方向を判定する際、上述のように、操作が検出された始点の領域と終点の領域とに基づいて操作方向を判定するように概略構成されている。これは、例えば、表示装置８３に表示されたメニューのスクロールなどを行う場合、意図しない操作面２０に対する接触によってスクロールなどが行われないようにするためであり、また始点と終点で操作方向が定まるので、判定が容易となる。
【００３１】
右側のタッチパッド１の制御部４は、ステアリング７の右側に位置する操作面２０において操作が行われ、把持位置が基準位置７ａより上側の場合、操作者から見て反時計回りに複数の領域（上部領域２１〜右部領域２４）を回転させ、把持位置が基準位置７ａより下側の場合、操作者から見て時計回りに複数の領域（上部領域２１〜右部領域２４）を回転させて形状を調整する。そして右側の制御部４は、例えば、判定した操作方向に基づいて生成した操作情報Ｓ３を出力する。
【００３２】
また左側のタッチパッド１の制御部４は、ステアリング７の左側に位置する操作面２０において操作が行われ、把持位置が基準位置７ａより上側の場合、操作者から見て時計回りに複数の領域（上部領域２１〜右部領域２４）を回転させ、把持位置が基準位置７ａより下側の場合、操作者から見て反時計回りに複数の領域（上部領域２１〜右部領域２４）を回転させて形状を調整する。そして左側の制御部４は、例えば、判定した操作方向に基づいて生成した操作情報Ｓ４を出力する。
【００３３】
以下では、ステアリング７の右側に位置するタッチパッド１の操作面２０に操作がなされた場合について図を参照しながら説明する。
【００３４】
・把持位置が基準位置７ａの場合
図３（ａ）及び図３（ｂ）は、把持位置が基準位置７ａである状態で操作者が操作面２０を上から下になぞった一例を示している。この基準位置７ａとは、例えば、図３（ａ）及び図３（ｂ）などに一点鎖線で示すように、リング部７０とスポーク部７２ａの接続部分近くの位置、言い換えるならステアリング７の水平位置に近い把持位置である。この基準位置７ａが把持された場合、主に、検出電極８２ｂ〜検出電極８２ｄにおいて把持が検出される。なお操作者が左手で操作する場合、主に、検出電極８２ｇ〜検出電極８２ｉにおいて把持が検出される。
【００３５】
ステアリング７を把持した状態で行われるなぞり操作の軌跡９１は、操作指９０（親指）の付け根近傍を中心とした円弧に近いものとなる。従って操作者が基準位置７ａを把持した状態で上から下に向かってなぞり操作を行った場合、例えば、図３（ａ）〜図３（ｃ）の紙面の垂直方向に近い軌跡９１となり、軌跡９１の始点９２が上部領域２１に位置すると共に、終点９３が下部領域２２において検出され易い。制御部４は、始点９２が上部領域２１であると共に、終点９３が下部領域２２である場合、なぞり操作の操作方向を上から下と判定する。なお下から上に向かってなぞり操作がなされた場合の軌跡９１は、上から下に向かってなされた場合と同様の軌跡となる。
【００３６】
また左右方向のなぞり操作は、例えば、図３（ｃ）に示す軌跡９１とほぼ垂直に交差するような操作となり、左右方向のなぞり操作と判定され易い。
【００３７】
・把持位置が基準位置７ａより上側の場合
制御部４は、例えば、図４（ａ）〜図４（ｃ）に示すように、把持位置が基準位置７ａより上側の場合、操作者から見て反時計回りに複数の領域（上部領域２１〜右部領域２４）を回転させる。なお左側のタッチパッド１の制御部４は、把持位置が基準位置７ａより上側の場合、操作者から見て時計回りに複数の領域（上部領域２１〜右部領域２４）を回転させる。
【００３８】
右側のタッチパッド１における基準位置７ａより上側とは、例えば、リング部７０とスポーク部７２ａの接続部分より上側の位置、言い換えるならステアリング７の水平位置より上側の把持位置である。この基準位置７ａより上側が把持された場合、主に、検出電極８２ｃ〜検出電極８２ｅにおいて把持が検出される。
【００３９】
また左側のタッチパッド１における基準位置７ａより上側とは、例えば、リング部７０とスポーク部７２ｂの接続部分より上側の位置、言い換えるならステアリング７の水平位置より上側の把持位置である。この基準位置７ａより上側が把持された場合、主に、検出電極８２ｈ〜検出電極８２ｊにおいて把持が検出される。
【００４０】
操作者が基準位置７ａより上側を把持した状態で上から下に向かってなぞり操作を行った場合、例えば、図４（ａ）〜図４（ｃ）の紙面に対して右下に傾いた軌跡９１となる。なお下から上に向かってなぞり操作がなされた場合の軌跡９１は、上から下に向かってなされた場合と同様の軌跡となる。
【００４１】
この軌跡９１は、例えば、図４（ｂ）に示すように、始点９２が上部領域２１に位置するものの、終点９３が右部領域２４において検出され易い。この場合、操作者が意図した操作方向は、上から下であるにもかかわらず、異なる操作方向と認識されたり、操作方向が認識されなかったりする可能性がある。
【００４２】
制御部４は、把持位置情報Ｓ２に基づいて把持位置が基準位置７ａよりも上側であると判定した場合、例えば、図４（ｃ）に示すように、反時計回りに予め定められた角度θ１回転させる。この回転の中心は、操作面２０の中心Ｐ１である。この角度は、一例として、０°＜θ１＜９０°であり、０°＜θ１＜４５°がより好ましい。
【００４３】
この角度θ１は、例えば、実験やシミュレーションによって定められる。なお変形例として角度θ１は、一例として、図４（ａ）に示すように、ステアリング７の回転中心Ｐ２、基準位置７ａ、及び把持位置によって作られる角度θａの関数として定められても良い。また他の変形例として角度θ１は、例えば、把持位置の関数として定められても良い。
【００４４】
・把持位置が基準位置７ａより下側の場合
制御部４は、例えば、図５（ａ）〜図５（ｃ）に示すように、把持位置が基準位置７ａより下側の場合、操作者から見て時計回りに複数の領域（上部領域２１〜右部領域２４）を回転させる。なお左側のタッチパッド１の制御部４は、把持位置が基準位置７ａより上側の場合、操作者から見て反時計回りに複数の領域（上部領域２１〜右部領域２４）を回転させる。
【００４５】
右側のタッチパッド１における基準位置７ａより下側とは、例えば、リング部７０とスポーク部７２ａの接続部分より下側の位置、言い換えるならステアリング７の水平位置より下側の把持位置である。この基準位置７ａより下側が把持された場合、主に、検出電極８２ａ〜検出電極８２ｃにおいて把持が検出される。
【００４６】
また左側のタッチパッド１における基準位置７ａより下側とは、例えば、リング部７０とスポーク部７２ｂの接続部分より下側の位置、言い換えるならステアリング７の水平位置より下側の把持位置である。この基準位置７ａより下側が把持された場合、主に、検出電極８２ｆ〜検出電極８２ｈにおいて把持が検出される。
【００４７】
操作者が基準位置７ａより下側を把持した状態で下から上に向かってなぞり操作を行った場合、例えば、図５（ａ）〜図５（ｃ）の紙面に対して右上に傾いた軌跡９１となる。なお下から上に向かってなぞり操作がなされた場合の軌跡９１は、上から下に向かってなされた場合と同様の軌跡となる。
【００４８】
この軌跡９１は、例えば、図５（ｂ）に示すように、始点９２が下部領域２２に位置するものの、終点９３が右部領域２４において検出され易い。この場合、操作者が意図した操作方向は、下から上であるにもかかわらず、異なる操作方向と認識されたり、操作方向が認識されなかったりする可能性がある。
【００４９】
制御部４は、把持位置情報Ｓ２に基づいて把持位置が基準位置７ａよりも下側であると判定された場合、例えば、図５（ｃ）に示すように、時計回りに予め定められた角度θ２回転させる。この回転の中心は、操作面２０の中心Ｐ１である。この角度は、一例として、０°＜θ２＜９０°であり、０°＜θ２＜４５°がより好ましい。
【００５０】
この角度θ２は、例えば、実験やシミュレーションによって定められる。なお変形例として角度θ２は、一例として、図５（ａ）に示すように、ステアリング７の回転中心Ｐ２、基準位置７ａ、及び把持位置によって作られる角度θｂの関数として定められても良い。また他の変形例として角度θ２は、例えば、把持位置の関数として定められても良い。
【００５１】
なお把持位置が上側の際の角度θ１、及び把持位置が下側の際の角度θ２は、一例として、等しいがこれに限定されない。この角度θ１及び角度θ２は、例えば、ステアリング７のリング部７０、スポーク部７２ａ及びスポーク部７２ｂの形状などによって異なっても良い。
【００５２】
以下では、本実施の形態の右のタッチパッド１の動作の一例について図６のフローチャートに従って説明する。
【００５３】
（動作）
タッチパッド１の制御部４は、ステップ１の「Ｙｅｓ」が成立する、つまり操作が検出されると（Ｓｔｅｐ１：Ｙｅｓ）、把持センサ８２から取得した把持位置情報Ｓ２に基づいて把持位置を判定する（Ｓｔｅｐ２）。この把持位置情報Ｓ２は、例えば、周期的に把持センサ８２から出力される。
【００５４】
制御部４は、把持位置が基準位置７ａの場合（Ｓｔｅｐ３：Ｙｅｓ）、上部領域２１〜右部領域２４の調整を行わず、操作方向の判定を行う（Ｓｔｅｐ４）。そして制御部４は、判定した操作方向に基づいて操作情報Ｓ３（左のタッチパッド１の場合は、操作情報Ｓ４）を生成して出力する（Ｓｔｅｐ５）。
【００５５】
ここでステップ３において制御部４は、把持位置が基準位置７ａ以外であった場合（Ｓｔｅｐ３：Ｎｏ）、把持位置に基づいて上部領域２１〜右部領域２４を調整し（Ｓｔｅｐ６）、ステップ５に処理を進める。
【００５６】
（実施の形態の効果）
本実施の形態に係るタッチパッド１は、操作性の低下を抑制することができる。具体的には、操作者は、ステアリング７を把持した状態でタッチパッド１を操作する際、親指操作となることから把持位置によって操作の軌跡にばらつきが生じる。タッチパッド１は、把持センサ８２が検出した把持位置に応じて上部領域２１〜右部領域２４の形状を調整するので、これらの領域が固定されたまま判定する場合と比べて、操作者の意図した操作が判定され易く、操作性の低下を抑制することができる。
【００５７】
タッチパッド１は、境界を規定する直線２０ａ及び直線２０ｂを回転させることで上部領域２１〜右部領域２４の調整を行うことができるので、この構成を採用しない場合と比べて、調整が容易となる。
【００５８】
ここで他の実施の形態としてタッチパッド１は、ステアリング７のリング部７０の把持位置を検出する把持位置検出部と、ステアリング７のスポーク部に露出する操作面２０になされた操作を検出する検出部２と、操作面２０に規定された複数の領域のうち、操作が検出された始点９２の領域と終点９３の領域とに基づいて操作方向を判定するように構成され、把持位置に応じた形状に複数の領域を調整して操作方向を判定する判定部と、を備えて概略構成されても良い。
【００５９】
また他の実施の形態として操作システム８は、ステアリング７のリング部７０の把持位置を検出する把持位置検出部と、ステアリング７のスポーク部に露出する操作面２０になされた操作を検出する検出部２、及び操作面２０に規定された複数の領域のうち、操作が検出された始点９２の領域と終点９３の領域とに基づいて操作方向を判定するように構成され、把持位置に応じた形状に複数の領域を調整して操作方向を判定する判定部を有するタッチパッド１と、を備えて概略構成されても良い。
【００６０】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００６１】
１…タッチパッド、２…検出部、４…制御部、７…ステアリング、７ａ…基準位置、８…操作システム、９…手、２０…操作面、２０ａ，２０ｂ…直線、２１〜２４…上部領域〜右部領域、２５…中央領域、４０…しきい値、７０…リング部、７２ａ〜７２ｃ…スポーク部、８０…車両ＬＡＮ、８１…車両制御部、８２…把持センサ、８２ａ〜８２ｊ…検出電極、８３…表示装置、９０…操作指、９１…軌跡、９２…始点、９３…終点、
【図１】
2019166878.tif 000003
【図２】
2019166878.tif 000004
【図３】
2019166878.tif 000005
【図４】
2019166878.tif 000006
【図５】
2019166878.tif 000007
【図６】
2019166878.tif 000008